(57)【要約】【課題】  解決しようとする問題点は、擬似圧着シートを用いたシークレット葉書において、擬似圧着の専用シートを用いる必要のために大量に製作するＤＭなどの葉書にしか採用できない欠点が有り、又、再剥離可能にした弱粘着剤シート面を用いたシークレット葉書において、個人向けに一時的な目隠しを目的にした簡易シークレット葉書として提供され、シークレット面の第三者による閲覧を可能にしていた欠点が有った。  【解決手段】  本発明による葉書のシークレット用シート面（裏紙片）を再剥離不可能な強粘着剤を用いたものを貼着する手段と、シークレット用シート面を貼着する葉書本体紙面（本体紙片）の表層には透明ニスやシリコンなどの樹脂を塗工し、再剥離不可能な強粘着剤を用いたシート面と葉書本体紙面の各面間を再剥離可能に構成された葉書であり、シート面（裏紙片）に設けられたミシン目等を切離する以外に、接着してなる見開き２頁の葉書を開封できない工夫をされている。【選択図】  図２
2005343096.tif 000002
【特許請求の範囲】
【請求項１】
郵便葉書と表示された本体紙片（２）と該本体紙片（２）の一辺と折目（３）を介して連接した裏紙片（４）とからなり、前記本体紙片（２）と連接した該裏紙片（４）の裏面（６）表層には強粘着剤（７）が塗工され、前記本体紙片（２）の裏面（５）表層には、透明ニスやシリコンなどの樹脂（８）を塗工し、前記各裏面間を剥離可能に接着してなる見開き２頁の葉書において、
前記本体紙片（２）の辺端より内側方向の辺端近傍に沿って前記透明ニスやシリコンなどの樹脂（８）を不塗工にした余白部（９）を設けると共に、該余白部（９）に対して向き合う裏紙片（４）の辺端より内側方向の辺端近傍に沿ってミシン目（１０）等を形成すると共に、該ミシン目（１０）等の切離により前記本体紙片（２）の余白部（９）を起点にして前記裏紙片（４）が再剥離できるシール（ワッペン）と成して構成されていることを特徴とするシール（ワッペン）を用いた葉書。
【請求項２】
請求項１の記載において、
前記本体紙片（２）の一辺との折目（１１）を介して連接した宛名紙片（１２）とからなり、該宛名紙片（１２）の裏面（１３）表層には強粘着剤（７）が塗工され、前記本体紙片（２）の表面（１４）表層には、透明ニスやシリコンなどの樹脂（８）を塗工し、前記宛名紙片（１２）の裏面（１３）と前記本体紙片（２）の表面（１４）の面間を再剥離できるシール（ワッペン）と成して構成されていることを特徴とするシール（ワッペン）を用いた葉書。
【請求項３】
請求項１乃至請求項２の記載において、
本体紙片（２）の一辺と折目（３）を介して連接した裏紙片（４）、乃至折目（１１）を介して連接した宛名紙片（１２）であって、該折目（３）、乃至折目（１１）にミシン目（１０）を形成して構成されていることを特徴とするシール（ワッペン）を用いた葉書。
【請求項４】
別体紙片、若しくは、予め葉書紙片（１９）に貼付けられている再剥離用の貼付シール（ワッペン）（１５）において、
該貼付シール（ワッペン）（１５）の辺端より内側に向かった辺端に沿って、適宜な数ミリ巾の不再剥離用強粘着剤（１６）を塗工したシール帯部（１７）を形成すると共に、該シール帯部（１７）の内側方向に有る辺端に沿って切離を可能にするミシン目（１０）等が併設された前記貼付シール（ワッペン）（１５）は、被貼付面の葉書紙片（１９）面内に収まる適宜な大きさの再剥離用の貼付シール（ワッペン）（１５）として葉書紙片（１９）に貼付されて構成していることを特徴とするシール（ワッペン）を用いた葉書。
【発明の詳細な説明】
【技術分野】
【０００１】
本発明は、郵便葉書にシール（ワッペン）を連接、若しくは、貼付して郵便はがきとして、利用可能にした郵便葉書に関する。
【背景技術】
【０００２】
従来より、本発明のような葉書において、Ｖ折葉書、若しくは、Ｚ折葉書として公知され、ダイレクトメールや銀行口座の通知、或いは、クレジットの決済通知などの通信手段に用いられている擬似圧着シートを用いたシークレット葉書や、シークレット面を再剥離可能にした弱粘着剤を用いたシート面を貼着する手段が用いられているシークレット葉書が有った。
【特許文献１】特許公開平８−２０１７９、特許公開平６−２１９０８３、                            特許公開平１０−２５０２６２公報
【発明の開示】
【発明が解決しようとする課題】
【０００３】
解決しようとする問題点は、擬似圧着シートを用いたシークレット葉書において、擬似圧着の専用シートを用いる必要のために大量に製作するＤＭなどの葉書にしか採用できない欠点が有り、又、再剥離可能にした弱粘着剤シート面を用いたシークレット葉書において、個人向けに一時的な目隠しを目的にした簡易シークレット葉書として提供され、シークレット面を第三者によって閲覧を可能にしていた欠点が有った。
【課題を解決するための手段】
【０００４】
本発明は、葉書のシークレット用シート面（裏紙片）に再剥離不可能な強粘着剤を用いたものを貼着する手段と、シークレット用シート面を貼着する葉書本体紙面（本体紙片）の表層には透明ニスやシリコンなどの樹脂を塗工し、再剥離不可能な強粘着剤を用いたシート面と葉書本体紙面の各面間を再剥離可能に構成された葉書であり、シート面（裏紙片）に設けられたミシン目等を切離する以外に、接着してなる見開き２頁の葉書に開封できない工夫が成されている。この本発明は、本発明者による特願２００３−１４５７７９の特許出願による方法の別手段として、本発明に係る解決しようとする課題として、発明されている。
【０００５】
本発明を実現させる方法のまず第１は、郵便葉書として用いる表示された本体紙片と連接した裏紙片とからなり、本体紙片と裏紙片との連接部に折目を設け、その折目には、切離を可能にするミシン目を形成する。更に、本体紙片と連接した裏紙片の裏面の表層には強粘着剤が塗工され、本体紙片の裏面の表層には、透明ニスやシリコンなどの樹脂を塗工し、本体紙片と裏紙片の各裏面間を再剥離可能に構成される。
【０００６】
この時、本体紙片の辺端より内側方向の辺端近傍に沿って透明ニスやシリコンなどの樹脂を不塗工にした余白部を設けると共に、その余白部に対して向き合う裏紙片の辺端より内側方向の辺端近傍に沿ってミシン目等を形成し、そのミシン目等の切離により本体紙片の余白部を起点にして、裏紙片が再剥離できるシール（ワッペン）と成して構成される。
【０００７】
次に第２は、第１の方法の本体紙片の一辺と折目を介して連接した宛名紙片とからなり、宛名紙片の裏面表層には強粘着剤が塗工され、本体紙片の表面表層には、透明ニスやシリコンなどの樹脂を塗工し、宛名紙片の裏面と本体紙片の表面の各面間を再剥離できるシール（ワッペン）と成して構成される。
【０００８】
次に第３は、別体紙片、若しくは、予め葉書紙片に貼付けられている再剥離用の貼付シール（ワッペン）などにおいて、貼付シール（ワッペン）の辺端より内側に向かった辺端に沿って、適宜な数ミリ巾の不再剥離用強粘着剤を塗工したシール帯部を形成すると共に、そのシール帯部の内側方向に有る帯部辺端に沿って切離を可能にするミシン目等が併設された貼付シール（ワッペン）は、被貼付面の葉書紙片の紙片面内に収まる適宜な大きさの再剥離用の貼付シール（ワッペン）として葉書紙片に貼付されて構成される。
【０００９】
また、本発明による第１乃至第３による方法の粘着剤が施されている粘着面には、セパレーター（剥離紙片）が張り合わせられており、葉書としての使用前は、前記セパレーター（剥離紙片）により、使用前の貼着を防止する。
【発明の効果】
【００１０】
本発明によるシール（ワッペン）を用いた葉書は、擬似圧着用の専用紙などを使用しないため、家庭内に有る印刷機や手書きによる記入ができるシークレット葉書などとして、小ロットのシークレット葉書として作成できる大きな利点と効果が有る。
また、封書を用いてシール（ワッペン）を送付していた手段に替わり、シール（ワッペン）が葉書そのものに付帯して送付できることにより、大幅な経費の削減に繋がる。これにより、簡便に広告ツールとしてのＤＭや販促商品として活用できる画期的な葉書を提供できるもので有り、多用途に活用できる。
【発明を実施するための最良の形態】
【００１１】
以下、本発明に係るシール（ワッペン）を用いた葉書は、色々な実施形態で実現できるが本発明の代表的な実施形態について図を基に詳細に説明する。
図１は本発明の請求項１の一実施例におけるシール（ワッペン）を用いた葉書の見開いた状態を示す図。
【００１２】
図２は、前記図１の見開いた状態に於ける本体紙片と裏紙片の裏面の状態を示す図。
図３は、前記図２の開いた状態に於ける裏紙片の裏面に、セパレーター（剥離紙片）が張り合わせられている状態を示す図
【００１３】
図４は、本発明の請求項２の一実施例におけるシール（ワッペン）を用いた葉書の見開いた状態を示す図。
図５は、本発明の請求項３の一実施例における貼付シール（ワッペン）の裏面の状態を示す図。
図６は、本発明の請求項３の一実施例における貼付シール（ワッペン）を用いた葉書の裏面の状態を示す図。
【００１４】
本発明による請求項１記載の一実施例を図１、図２、及び、図３を参照して説明する。シール（ワッペン）を用いた葉書１は、郵便葉書として用いる表示された本体紙片２と連接した裏紙片４とからなり、本体紙片２と裏紙片４との連接部に折目３を設け、その折目３には切離を可能にするミシン目１０を形成する。更に、本体紙片２と連接した裏紙片４の裏面６の表層には強粘着剤７が塗工され、本体紙片２の裏面５の表層には、透明ニスやシリコンなどの樹脂８を塗工し、本体紙片２と裏紙片４の各裏面間を再剥離可能に構成する。
【００１５】
更に、本体紙片２の辺端より内側方向の辺端近傍に沿って透明ニスやシリコンなどの樹脂８を不塗工にした余白部９を設けると共に、その余白部９に対して向き合う裏紙片４の辺端より内側方向の辺端近傍に沿ってミシン目１０等を形成し、そのミシン目１０等の切離により本体紙片２の余白部９を起点にして、裏紙片４が再剥離できるシール（ワッペン）と成して構成される。
【００１６】
これらの構成によりシール（ワッペン）を用いた葉書１は、本体紙片２の裏面５に通信文を記載し、次に、裏紙片４の裏面６の強粘着剤７の粘着防止用のセパレーター（剥離紙片）１８を剥がし、本体紙片２の裏面５と裏紙片４の裏面６とを貼り合わせる。
【００１７】
この時、折目３により、本体紙片２と裏紙片４は、左右対称に貼り合わさり、ミシン目１０は、折目３と同一に接合される。
【００１８】
次に、このシール（ワッペン）を用いた葉書１を開封するためには、裏紙片４のミシン目１０等に開封箇所を示す開封用の印などを設けて、その印などを起点にして、開封する。
【００１９】
更に、シール（ワッペン）を用いた葉書１を開封後、裏紙片４は、シール（ワッペン）として再利用できることを表示しておくと良く、折目３に有るミシン目１０等に沿って、裏紙片４を本体紙片２から切離する。これにより、裏紙片４は、シール（ワッペン）として、強粘着剤７の接着力を用いて、対象物に貼着することができる。
【００２０】
次に本発明による請求項２記載の一実施例について、図４を参照して説明する。シール（ワッペン）を用いた葉書１は、郵便葉書として用いる表示を施した本体紙片２の一辺と折目１１を介して連接した宛名紙片１２と、本体紙片２の他辺と折目３を介して連接した裏紙片４とからなる。
【００２１】
次に、裏紙片４の裏面６と、並びに、宛名紙片１２の裏面とに強粘着剤７が塗工され、本体紙片２の表面の表層には、透明ニスやシリコンなどの樹脂を塗工し、宛名紙片１２の裏面と本体紙片２の表面の各面間を再剥離できるシール（ワッペン）と成して構成される。
【００２２】
次に、宛名紙片１２の裏面の強粘着剤７と、及び、裏紙片４の裏面６の強粘着剤７とを用いて、シール（ワッペン）として再利用できることの表示を各紙片面に記載しても良く、宛名紙片１２と裏紙片４の折目１１、折目３のミシン目１０により、シール（ワッペン）を用いた葉書１から、シール（ワッペン）として再利用できるように切離できる。
【００２３】
これらの構成により請求項２記載の一実施例のシール（ワッペン）を用いた葉書１は、本体紙片２の裏面５と、裏紙片４の表面に通信文や画
像などを、宛名紙片１２には、宛名書きなどを印刷を成すことができ、次に、裏紙片４の裏面６と宛名紙片１２の裏面に塗工された強粘着剤７との使用前の粘着防止用のためのセパレーター（剥離紙片）１８を剥がし、裏紙片４の裏面６、及び宛名紙片１２の裏面を、本体紙片２の表裏面と貼り合わせる。
【００２４】
この時、折目１１、折目３により、宛名紙片１２と、裏紙片４とは、本体紙片２の表裏面と貼り合わさり、また、折目１１と折目３は、ミシン目１０と共に併合されている。
【００２５】
次に、このシール（ワッペン）を用いた葉書１を開封するためには、宛名紙片１２に開封箇所を示す開封用の印などを設けて、その開封用の印などを起点にして開封する。また、裏紙片４のミシン目１０等に開封箇所を示す開封用の印などを設けて、その印などを起点にして開封する。
【００２６】
更に、シール（ワッペン）を用いた葉書１を開封後、折目１１と、折目３とに有るミシン目１０とに沿って、宛名紙片１２を本体紙片２から切離し、また、裏紙片４を本体紙片２から切離する。これにより、宛名紙片１２と、裏紙片４とは、シール（ワッペン）として、強粘着剤７の接着力を用いて、対象物に貼着することができる。
【００２７】
次に本発明による請求項４記載の一実施例について、図５、図６を参照して説明する。
別体紙片、若しくは、予め葉書紙片１９に貼付けられている再剥離用の貼付シール（ワッペン）１５において、貼付シール（ワッペン）１５の辺端より内側に向かった辺端に沿って、適宜な数ミリ巾の不再剥離用強粘着剤１６を塗工したシール帯部１７を形成すると共に、そのシール帯部１７の内側方向に有る帯部辺端に沿って切離を可能にするミシン目１０等が併設された貼付シール（ワッペン）１５は、被貼付面の葉書紙片１９の紙片面内に収まる適宜な大きさの再剥離用の貼付シール（ワッペン）１５として葉書紙片１９に貼付されて構成される。
【００２８】
次に、この本発明による請求項４記載の一実施例の再剥離用の貼付シール（ワッペン）１５を用いるには、葉書紙片１９の表裏面の任意の印刷箇所に対して、貼付シール（ワッペン）１５のシール帯部１７の内側方向に有る帯部辺端に沿って切離を可能にするミシン目１０の位置する部位より、内側の内面に収まる所に、貼付シール（ワッペン）１５を貼り付ける。
【００２９】
次に、この貼付シール（ワッペン）１５のシール（ワッペン）を用いた葉書１を開封するためには、貼付シール（ワッペン）１５のシール帯部１７に設けられた切離を可能にするミシン目１０等に開封箇所を示す開封用の印などを設けて、その印などを起点にして開封する。
【産業上の利用可能性】
【００３０】
本発明によるシール（ワッペン）を用いた葉書は、シール（ワッペン）を葉書に付帯して送付できることにより、大幅な経費の削減に繋がり、簡便に広告ツールとしてのＤＭや販促商品として活用できる画期的な葉書を提供できるもので有り、多用途に活用できる。
【図面の簡単な説明】
【００３１】
図１は請求項１記載のシール（ワッペン）を用いた葉書の見開いた状態を示す図。
図２は図１を見開いて、本体紙片と裏紙片の裏面の状態を示す図。
図３は図２にセパレータが附着した状態を示す図。
図４は請求項２の一実施例のシール（ワッペン）を用いた葉書を見開いた状
態を示す図。
図５は請求項３の一実施例における貼付シール（ワッペン）の裏面の状態を示す図。
図６は貼付シール（ワッペン）を用いた葉書の裏面の状態を示す図。
【符号の説明】
【００３２】
１  ：  シール（ワッペン）を用いた葉書
２  ：  本体紙片
３  ：  折目
４  ：  裏紙片
５  ：  本体紙片の裏面
６  ：  裏紙片の裏面
７  ：  強粘着剤
８  ：  樹脂
９  ：  余白部
１０ ：  ミシン目
１１ ：  折目
１２ ：  宛名紙片
１３ ：  宛名紙片の裏面
１４ ：  本体紙片の表面
１５ ：  貼付シール（ワッペン）
１６ ：  不再剥離用強粘着剤
１７ ：  シール帯部
１８ ：  セパレータ
１９ ：  葉書紙片
２０ ：  葉書紙片の裏面
【図１】
2005343096.tif 000003
【図２】
2005343096.tif 000004
【図３】
2005343096.tif 000005
【図５】
2005343096.tif 000006
【図６】
2005343096.tif 000007
【図４】
2005343096.tif 000008